(57)【要約】【課題】外部からの衝撃を吸収する機構を備えた電子デバイス、及び、当該電子デバイスを備えた収容体を提供する。【解決手段】電子デバイス１は、ケースに取り付け可能な電子デバイスであって、実装基板３と、実装基板３の一方の面側に配置されるディスプレイ２と、実装基板３及びディスプレイ２を内部に収納する筐体６と、を備えている。筐体６は、その収納領域６ａの外枠を画定する側板部６ｃと、側板部６ｃに連接して設けられ収納領域６ａの厚さを画定する上面板部６ｄ及び底面板部６ｅとを有し、側板部６ｃと上面板部６ｄ及び底面板部６ｅそれぞれとの連接領域における筐体６の内壁には、所定の曲率半径ｒを有するフィレット部６ｆ，６ｇが設けられている。【選択図】図２
2017072939.tif 000002
【特許請求の範囲】
【請求項１】
ケースに取り付け可能な電子デバイスであって、
実装基板と、
前記実装基板の一方の面側に配置されるディスプレイと、
前記実装基板及び前記ディスプレイを内部に収納する筐体と、を備え、
前記筐体は、その収納領域の外枠を画定する側板部と、前記側板部に連接して設けられ収納領域の厚さの少なくとも一方側を画定する面板部とを有し、
前記側板部と前記面板部との連接領域における前記筐体の内壁には、所定の曲率半径を有するＲ部が設けられている、電子デバイス。
【請求項２】
前記Ｒ部の曲率半径は、前記電子デバイスの総厚の１０％以上である、請求項１に記載の電子デバイス。
【請求項３】
前記Ｒ部は、前記筐体の内壁の全周にわたって設けられている、請求項１又は２に記載の電子デバイス。
【請求項４】
前記ディスプレイは、その縁部が前記筐体の内壁に対して１ｍｍ以上離れるように前記筐体の収納領域に配置されている、請求項１〜３の何れか一項に記載の電子デバイス。
【請求項５】
前記面板部は、前記側板部の一端に連接して設けられる上面板部と、前記側板部の他端に連接して設けられる底面板部とを有し、
前記側板部と前記上面板部との連接領域における前記筐体の内壁には、所定の曲率半径を有する第１のＲ部が設けられ、前記側板部と前記底面板部との連接領域における前記筐体の内壁には、所定の曲率半径を有する第２のＲ部が設けられている、請求項１〜４の何れか一項に記載の電子デバイス。
【請求項６】
前記第１及び第２のＲ部が同じ曲率半径を有している、請求項５に記載の電子デバイス。
【請求項７】
前記実装基板は、基板本体と、前記基板本体に実装される制御部と、前記制御部に接続される記憶部と、前記制御部に接続される通信用ＩＣと、前記通信用ＩＣに接続され前記基板本体上に形成されるアンテナと、を有し、
少なくとも前記制御部と前記記憶部と前記通信用ＩＣは、前記Ｒ部が形成される領域よりも平面方向内側となるように前記基板本体上に配置される、請求項１〜６の何れか一項に記載の電子デバイス。
【請求項８】
前記側板部と前記面板部との連接領域における前記筐体の外壁には、所定の曲率半径を有する外側Ｒ部が設けられている、請求項１〜７の何れか一項に記載の電子デバイス。
【請求項９】
請求項１〜８の何れか一項に記載の電子デバイスと、
前記電子デバイスが取り付け可能であって、任意の物体を収容するための収納部を有するケースと、
を備えた収容体。
【発明の詳細な説明】
【技術分野】
【０００１】
本発明は、電子デバイス及び収容体に関し、特にディスプレイを備えた電子デバイス及び収容体に関する。
【背景技術】
【０００２】
特許文献１には、スーツケースの外側面に設けられた凹部に収納される電子バッグタグが開示されている。この電子バッグタグは、ワイヤレスの通信インターフェースを有しており、バックタグのデータをワイヤレスで更新することができるようになっている。
【先行技術文献】
【特許文献】
【０００３】
【特許文献１】特表２０１４−５１６１７５号公報
【発明の概要】
【発明が解決しようとする課題】
【０００４】
特許文献１に開示されている電子バッグタグは、バックタグのデータを表示するためのディスプレイを含んで構成されている。このような電子バックタグは通常、低消費電力の電子ペーパー等のガラスＴＦＴディスプレイを表示ディスプレイとして用いることが多い。しかしながら、ガラス製ディスプレイを電子バックタグに用いた場合、スーツケース等を輸送する際にディスプレイに他の物体等が接触してしまうとディスプレイが破損してしまい易いという問題があった。
【０００５】
本発明は、外部からの衝撃を吸収する機構を備えた電子デバイス、及び、当該電子デバイスを備えた収容体を提供することを目的とする。
【課題を解決するための手段】
【０００６】
本発明の一形態に係る電子デバイスは、実装基板と、実装基板の一方の面側に配置されるディスプレイと、実装基板及びディスプレイを内部に収納する筐体と、を備えている。この筐体は、その収納領域の外枠を画定する側板部と、側板部に連接して設けられ収納領域の厚さの少なくとも一方側を画定する面板部とを有し、側板部と面板部との連接領域における筐体の内壁には所定の曲率半径を有するＲ部が設けられている。
【０００７】
この電子デバイスでは、側板部と面板部との連接領域における筐体の内壁に所定の曲率半径を有するＲ部が設けられている。この場合、仮に電子デバイスの上面若しくは側面等から筐体に対して衝撃が加えられたとしても、このＲ部の存在により衝撃を多方向に分散させることができるので（図５の（ｂ）参照）、外部からの衝撃をそのまま筐体内に収納されているディスプレイ等に伝達させないようにすることができる。その結果、この電子デバイスによれば、外部からの衝撃を好適に分散させて、筐体内に配置されるディスプレイの破損機会及び破損時の影響を低減させることができる。
【０００８】
上記の電子デバイスにおいて、Ｒ部の曲率半径は、電子デバイスの総厚の１０％以上であることが好ましい。この場合、Ｒ部がより大きく構成されることから、外部からの衝撃をより多方向に分散させることができるので、筐体内に配置されているディスプレイの破損をより一層低減させることができる。
【０００９】
上記の電子デバイスにおいて、Ｒ部は、筐体の内壁の全周にわたって設けられていることが好ましい。この場合、電子デバイスが何れの方向から衝撃を受けた場合であっても、筐体内に配置されているディスプレイの破損を低減させることが可能となる。
【００１０】
上記の電子デバイスにおいて、ディスプレイは、その縁部が筐体の内壁に対して１ｍｍ以上離れるように筐体の収納領域に配置されていることが好ましい。この場合、電子デバイスが受けた衝撃を直接ディスプレイに伝達しないようにしてその伝達を弱めることができ、これによりディスプレイの破損をより一層低減させることが可能となる。
【００１１】
上記の電子デバイスにおいて、面板部は、側板部の一端に連接して設けられる上面板部と、側板部の他端に連接して設けられる底面板部とを有し、側板部と上面板部との連接領域における筐体の内壁には、所定の曲率半径を有する第１のＲ部が設けられ、側板部と底面板部との連接領域における筐体の内壁には、所定の曲率半径を有する第２のＲ部が設けられていることが好ましい。なお、上述した第１及び第２のＲ部は同じ曲率半径を有していることが好ましい。このような構成により、何れの方向からの衝撃であってもより均等に衝撃を分散させることができる。
【００１２】
上記の電子デバイスにおいて、実装基板は、基板本体と、基板本体に実装される制御部と、制御部に接続される記憶部と、制御部に接続される通信用ＩＣと、通信用ＩＣに接続され基板本体上に形成されるアンテナと、を有し、少なくとも制御部と記憶部と通信用ＩＣは、Ｒ部が形成される領域よりも平面方向内側となるように基板本体上に配置されていてもよい。この場合、ある程度の高さのある部材を基板本体中央部に集積させることになり、電子デバイスの小型化や薄型化を図りつつ、筐体内壁のＲ部の曲率半径を大きく取ることが可能となる。
【００１３】
上記の電子デバイスにおいて、側板部と面板部との連接領域における筐体の外壁には、所定の曲率半径を有する外側Ｒ部が設けられていてもよい。この場合、衝撃を直接受ける筐体の外壁部分において、衝撃を分散させることができるため、ディスプレイ等の破損をより一層低減させることができる。
【００１４】
また、本発明は別の側面として、上述した何れかを備えた電子デバイスと、当該電子デバイスが取り付け可能であって、任意の物体を収容するための収納部を有するケースと、を備えた収容体として捉えることもできる。この場合も上述した電子デバイスと同様の作用効果を奏することが可能である。
【発明の効果】
【００１５】
本発明に係る電子デバイス及び収容体によれば、ディスプレイ等の内蔵部材の破損を低減させることができる。
【図面の簡単な説明】
【００１６】
【図１】図１は、本発明の一実施形態に係る電子デバイスを示す斜視図である。
【図２】図２は、図１に示す電子デバイスのＩＩ−ＩＩ線に沿った断面図である。
【図３】図３は、図１に示す電子デバイスの構成を示すブロック図である。
【図４】図４は、図２に示す電子デバイスの一部拡大断面図であり、（ａ）はディスプレイと筐体内壁との距離を示す拡大断面図であり、（ｂ）は筐体内壁のフィレット部の曲率半径を示す拡大断面図である。
【図５】図５は、フィレット部により外部衝撃が分散される例を模式的に示した図である。
【図６】図６は、本発明の一実施形態に係る電子デバイスに外部衝撃を与えた場合の応力解析を行ったシミュレーション結果を示す図である。
【図７】図７は、図１に示す電子デバイスの取付け例を示す斜視図であり、電子デバイスがスーツケースに取り付けられた例を示す斜視図である。
【図８】図８は、スーツケースに取り付けられた電子デバイスの断面図である。
【図９】図９は、本発明の変形例に係る電子デバイスを示す断面図である。
【発明を実施するための形態】
【００１７】
以下、図面を参照しつつ、本発明に係る電子デバイス及び収容体について詳細に説明する。説明において、同一要素又は同一機能を有する要素には、同一符号を用いる場合があり、重複する説明は省略する。なお、本発明は、任意の物体を収容可能な収容体に取り付けられる電子デバイスに広く適用可能である。以下の説明では、空港などの手荷物搬送システムでバッグタグとして用いられる電子デバイスがスーツケースに取り付けられた場合の一例について説明するが、本発明はこれに限定されるものではない。
【００１８】
図１は、本発明の一実施形態に係る電子デバイスを示す斜視図である。図２は、図１に示す電子デバイスのＩＩ−ＩＩ線に沿った断面図である。図１及び図２に示すように、本実施形態に係る電子デバイス１は、ディスプレイ２、ディスプレイ２がその上面に配置される実装基板３、実装基板３の裏面側に配置される緩衝材４、ディスプレイ２の上方に配置される保護パネル５、及び、筐体６を備えている。筐体６は、平面視矩形形状を呈し、ディスプレイ２、実装基板３及び緩衝材４をその収納領域６ａ内に収納する。また、筐体６は、その開口部６ｂに保護パネル５が設置される。保護パネル５は、例えば透明のアクリルパネルといった透光性を備える樹脂材によって形成され、隣接するディスプレイ２を外部衝撃から保護する。緩衝材４は、例えば多孔構造を有したクッションから構成される。緩衝材４は、少なくとも１ｍｍ以上の厚さを有し、実装基板３と筐体６の底面板部６ｅとの間に配置され、筐体６の底面板部６ｅ等に加えられた外部衝撃を実装基板３やディスプレイ２に直接伝達しない、つまり衝撃を低減させる機能と通信安定性の寄与を担う。
【００１９】
ディスプレイ２は、例えば、電気泳動方式、電子粉粒体方式、エレクトロウェッティング方式、コレステリック液晶方式、又は、エレクトロクロミック液晶方式等の電子ペーパーによって構成されている。電子ペーパーから成るディスプレイ２は、表示画像を保持するための消費電力が少ない（又は消費電力を要しない）ので、電力の供給が停止されていても表示を維持することができる。本実施形態では、ディスプレイ２として、汎用性の観点から、例えば電気泳動方式のガラスＴＦＴディスプレイが好適に用いられる。なお、ディスプレイ２がこのようにガラスを含んだディスプレイである場合に本発明の効果が奏されやすいが、必ずしもガラスを含むディスプレイでなくても本発明の効果を奏することが可能である。また、電力が供給されている間のみディスプレイ２に表示がされるようにし、電子ペーパー以外の液晶表示器や有機ＥＬなどをディスプレイ２として用いてもよい。
【００２０】
ディスプレイ２に表示される画像は、従来の紙製のバッグタグに印刷されていた内容と同様のものとすることができる。すなわち、ディスプレイ２に表示される画像は、ハンドスキャナ、バーコードスキャナ、自動荷物スキャナなどの装置によって読取可能な一次元バーコードや二次元コードとすることができる。また、平文、リファレンス番号等をディスプレイ２に表示してもよい。これにより、電子デバイス１のデータを読み取るための無線設備が無い場合でも、従来の設備を用いることにより紙製のバッグタグと同様にバーコード等のデータを読み取ることができる。
【００２１】
実装基板３は、図３に示すように、記憶部３１、ＨＦ帯ＩＣ（通信用ＩＣ）３２、ＨＦ帯アンテナ３３、電源回路３４、ＵＨＦ帯ＩＣ（通信用ＩＣ）３５及びＵＨＦ帯アンテナ３６と、これらに電気的に接続された制御部３７とを備えている。実装基板３は、図ではこれらの実装部品等を省略しているが、これら記憶部３１、ＨＦ帯ＩＣ３２、ＨＦ帯アンテナ３３、電源回路３４、ＵＨＦ帯ＩＣ３５、ＵＨＦ帯アンテナ３６、及び制御部３７が基板本体の表裏何れかの面に実装若しくは配置されることで形成されている。
【００２２】
記憶部３１は、電子デバイス１の個体識別情報、旅程に関する情報（航空会社名、便名、経由地、最終目的地、タグナンバー等を含む）などの各種情報を格納しており、例えば不揮発性メモリによって構成されている。
【００２３】
ＨＦ帯アンテナ３３は、１３．５６ＭＨｚのＨＦ周波数帯域を用いて近接距離の無線通信を行う。この無線通信は、ＨＦ帯ＩＣ３２によって制御される。ＨＦ帯アンテナ３３によって、電子デバイス１は、ＩＳＯ／ＩＥＣ１４４４３ＴｙｐｅＡ／Ｂ、ＩＳＯ／ＩＥＣ１８０９２、ＦｅｌｉＣａ（登録商標）、ＩＳＯ／ＩＥＣ１５６９３、ＮＦＣ（Ｎｅａｒ  Ｆｉｅｌｄ  Ｃｏｍｍｕｎｉｃａｔｉｏｎ）等の通信規格に対応したリーダライタ端末、ＮＦＣスマートフォン等と通信可能となっている。
【００２４】
ＵＨＦ帯アンテナ３６は、８６０ＭＨｚから９６０ＭＨｚのＵＨＦ周波数帯域を用いて無線通信を行う。この無線通信は、ＵＨＦ帯ＩＣ３５によって制御される。例えば、ＵＨＦ帯域の無線通信に対応したリーダライタを備えた手荷物搬送システムによって、電子デバイス１の記憶部３１又はＵＨＦ帯ＩＣ３５内のメモリ領域に格納されたデータの読み取りが行われる。本実施形態におけるＵＨＦ帯アンテナ３６は、例えば、実装基板３におけるディスプレイ２と反対側の面に対して平面状に形成され、メアンダ状、ダイポール、ダブルダイポールなど種々の形状とすることができる。
【００２５】
制御部３７は、電子デバイス１全体の制御を行う。図３に示されるように、制御部３７は、記憶部３１、ＨＦ帯ＩＣ３２、ＨＦ帯アンテナ３３、電源回路３４、ＵＨＦ帯ＩＣ３５及びＵＨＦ帯アンテナ３６と接続されるとともに、スイッチ３８、ディスプレイ２及びＬＥＤ３９に接続されている。本実施形態における制御部３７は、例えばＭＣＵ（Ｍｉｃｒｏ  Ｃｏｎｔｒｏｌｌｅｒ  Ｕｎｉｔ）によって構成されており、例えば、有線Ｉ２Ｃ（Ｉｎｔｅｒ−ｉｎｔｅｇｒａｔｅｄ  Ｃｉｒｃｕｉｔ）インターフェースや、シリアルインターフェースＳＰＩ（Ｓｅｒｉａｌ  Ｐａｒａｌｌｅｌ  Ｉｎｔｅｒｆａｃｅ）、ＵＡＲＴ（Ｕｎｉｖｅｒｓａｌ  Ａｓｙｎｃｈｒｏｎｏｕｓ  Ｒｅｃｅｉｖｅｒ  Ｔｒａｓｍｉｔｔｅｒ）等によって記憶部３１、ＨＦ帯ＩＣ３２、ＨＦ帯アンテナ３３、電源回路３４、ＵＨＦ帯ＩＣ３５及びＵＨＦ帯アンテナ３６と電気的に接続されている。
【００２６】
制御部３７は、記憶部３１、ＨＦ帯ＩＣ３２内のメモリ領域、ＵＨＦ帯ＩＣ３５内のメモリ領域等に格納された各種情報の書き換え、及び、ディスプレイ２の表示内容の書き換えのための制御を行う。例えば、電子デバイス１では、ＮＦＣに対応したスマートフォン等のリーダライタ端末によってＨＦ帯ＩＣ３２及び制御部３７に給電が行われる。これによって、制御部３７は、記憶部３１、ＨＦ帯ＩＣ３２内のメモリ領域、ＵＨＦ帯ＩＣ３５内のメモリ領域等に格納された各種情報を、ＨＦ帯アンテナ３３で受信された新たな情報に更新することができる。また、制御部３７は、更新された情報に基づいて、ディスプレイ２の表示内容の書き換えを行うことができる。すなわち、ＨＦ帯アンテナ３３で受信された新たな情報の中にディスプレイ２に表示する情報が含まれている場合には、制御部３７はディスプレイ２の表示画像の書き換えを行う。また、受信された情報に基づいて制御部３７内のファームウェアによってディスプレイ２に表示する情報が生成された場合にも、制御部３７はディスプレイ２の表示画像の書き換えを行う。なお、本実施形態では、制御部３７にＬＥＤ３９が接続されている。例えば、制御部３７によって記憶部３１、ＨＦ帯ＩＣ３２内のメモリ領域、ＵＨＦ帯ＩＣ３５内のメモリ領域等のデータ、又は、ディスプレイ２の表示内容の書き換えが行われる場合に、書き換えの状況をＬＥＤ３９で通知するようにしてもよい。
【００２７】
また、制御部３７は、ディスプレイ２に表示された内容、記憶部３１、ＨＦ帯ＩＣ３２内のメモリ領域、ＵＨＦ帯ＩＣ３５内のメモリ領域等に格納された各種情報のうちの少なくとも一部を含むデータをＵＨＦ帯アンテナ３６から手荷物運送システムに送信するための制御を行う。例えば、手荷物運送システムのリーダライタによってＵＨＦ帯ＩＣ３５及び制御部３７に給電が行われる。これによって、制御部３７は、記憶部３１等に格納されたデータをＵＨＦ帯アンテナ３６から手荷物運送システムに送信する制御を行う。手荷物運送システムに対して送信されるデータは、例えば、タグナンバー等である。給電時間や読み取り時間が長く取れる場合には、航空会社名、便名、経由地等を任意に選択して送信しても良い。なお、本実施形態では、ＵＨＦ帯アンテナ３６で誘起された電圧が電源回路３４によって整流されて制御部３７に給電される。
【００２８】
スイッチ３８は、例えばタッチセンサであり、ディスプレイ２における画面アクティベート、表示画像の削除、ページ送りなどのような任意の機能選択に用いられる。このようなスイッチ３８は、ディスプレイ２に形成される静電方式スイッチ等であり、例えばＨＦ帯にて非接触給電された電力がキャパシタ等に蓄電されることによって、使用可能となる。
【００２９】
ここで、図１及び図２に戻り、電子デバイス１の外形を構成する筐体６の構成についてより詳細に説明する。筐体６は、収納領域６ａをその内部に有しており、上述したディスプレイ２、実装基板３及び緩衝材４を収納領域６ａ内に収納すると共に、ディスプレイ２や実装基板３等を外部衝撃から保護する。このような筐体６は、例えばポリカーボネート樹脂にガラスファイバを一定量添加した一体成形品として形成される。筐体６は、収納領域６ａの平面方向の外枠部を画定する側板部６ｃと、側板部６ｃの上端に連接して設けられる上面板部６ｄと、側板部６ｃの下端に連接して設けられる底面板部６ｅとを有している。側板部６ｃは、所定の板厚を有し、平面視矩形の外形を呈している。上面板部６ｄは、開口部６ｂに設置された保護パネル５と共に電子デバイス１の上面側を形成し、底面板部６ｅは、電子デバイス１の下面側を単独で形成する。なお、底面板部６ｅに開口を設け、他の部材をその開口に設置するようにしてもよい。
【００３０】
このような筐体６は、側板部６ｃと上面板部６ｄとの連接領域における内壁に所定の曲率半径ｒを有するフィレット部６ｆ（Ｒ部）を有しており（図４（ｂ）参照）、また、側板部６ｃと底面板部６ｅとの連接領域における内壁にも所定の曲率半径ｒを有するフィレット部６ｇ（Ｒ部）を有している。フィレット部６ｆ，６ｇの曲率半径ｒは同じであることが好ましいが、異なっていてもよい。なお、筐体６のフィレット部６ｆとディスプレイ２の端部とは、図４（ａ）に示すように、互いに離間しており、ディスプレイ２がフィレット部６ｆに接触しないように配置されている。この離間距離ｄは少なくとも１ｍｍ以上であることが好ましい。
【００３１】
上記のように筐体６の内壁、特に連結領域の内壁に角部ではなくてＲ部を設けることにより、筐体６に対して外部から加えられる衝撃を内部において分散させることができる点について図５を参照して説明する。例えば図５の（ａ）に示すように、Ｒ部ではなく直線状の壁部であると、外部からの衝撃Ｓがそのまま内部に伝えられてしまう。しかしながら、図５の（ｂ）に示すように曲面状の壁部であると、外部からの衝撃Ｓが分散し、内部に伝達される衝撃が減衰される。このように、筐体６にＲ部を設けることにより、外部からの衝撃が筐体６の内部にそのまま伝達されず、分散・減衰して伝達されるようになる。そして、外部衝撃を分散することにより、筐体６の内部に収納されているディスプレイ２や実装基板３等への衝撃が軽減される。特にディスプレイ２は、ガラス等を含んで構成されることが多く外部衝撃により破損しやすいが、このようなＲ部を設けることにより、その破損を低減することが可能となっている。なお、本実施形態に係る電子デバイス１では、ディスプレイ２が筐体６のフィレット部６ｆ，６ｇに接触しないように離間して配置されているため、外部衝撃をディスプレイ２に対し、より一層伝達しにくい構造となっている。
【００３２】
また、これらフィレット部６ｆ，６ｇは、筐体６の内壁の全周にわたって設けられており、その曲率半径ｒが電子デバイス１の層厚の１０％以上の大きさとなっていることが好ましい。例えば、電子デバイス１の厚みが２０ｍｍの場合、フィレット部６ｆ，６ｇの曲率半径が２ｍｍ以上であることが好ましく、５ｍｍ以上であることがより一層好ましい。ここで、以下の条件で電子デバイス１を模した薄型媒体モデルの中央部（直径１０ｍｍの円部分）に１０ｋｇの負荷荷重をかけた場合に、側板部６ｃと上面板部６ｄとの連接領域（境界部分、図６の点線の丸で示した部分）に伝達される応力をシミュレーションした結果について図６を参照して説明する。
・薄型媒体モデルの外形：
全体厚みＺ＝１０ｍｍ
長手方向の長さ＝８５．６ｍｍ
短手方向の長さ＝５４．０ｍｍ
なお、シミュレーションソフトにはＳｏｌｉｄｗｏｒｋｓ  Ｐｒｅｍｉｕｍ２０１４の静解析機能を用いて、固体メッシュ、ポアソン比０．３〜０．４程度の構成部材を用いて簡易的な試算を行った。
【００３３】
上記の条件でシミュレーションを実行し、フィレット部６ｆの曲率半径ｒを０ｍｍ、０．５ｍｍ、６ｍｍ、１０ｍｍと順に変更してその時の応力を測定した。その結果、フィレット部６ｆの曲率半径ｒ＝０ｍｍの場合（即ちＲ部が無い場合）、連接領域にかかる応力が約２．６ＭＰａであったのに対し、フィレット部６ｆの曲率半径ｒ＝０.５ｍｍとした場合、連接領域にかかる応力が約２．５ＭＰａに減少し、更に、フィレット部６ｆの曲率半径ｒ＝６ｍｍとした場合、連接領域にかかる応力が約１．６ＭＰａに急減し、更にフィレット部６ｆの曲率半径ｒ＝１０ｍｍとした場合、連接領域にかかる応力が約１．５ＭＰａへと急減した。このように、筐体６において、その内部の連接領域にフィレット部を設け、特にその曲率を１ｍｍ以上（若しくは２ｍｍ以上、より好ましくは５ｍｍ以上）、即ち、電子デバイス１の層厚の１０％以上とすることにより、連接領域にかかる応力が著しく低減されることが示された。このため、筐体６内に収納される部材（ディスプレイ等）への外部衝撃の伝達がフィレット部により低減されることが示された。
【００３４】
なお、図２に示すように、筐体６の連接領域にフィレット部６ｆ，６ｇを設けた場合、その収納領域６ａの容積が、フィレット部６ｆ，６ｇを設けない場合（角部である場合）に比べ、減少してしまう。特に収納領域６ａの高さ方向のスペースが側板部６ｃ周辺で減少してしまう。このため、例えば、実装基板３では、所定の高さ（例えば１．８ｍｍ以下）を有する、記憶部３１（メモリ）、ＨＦ帯ＩＣ３２、電源回路３４、ＵＨＦ帯ＩＣ３５及び制御部３７（ＭＣＵ）等は、平面視した際に、フィレット部６ｆ，６ｇ等が形成される領域よりも平面方向内側になるように（基板中心側に寄るように）、基板本体に実装されていることが好ましい。また、より好ましくは、基板本体の中心から面積比率で７０％以内の領域にこれらの電子部品が集積配置されることが好ましい。なお、ＨＦ帯アンテナ３３等は銅箔、アルミ箔、又は導電性インク等から構成されるため、フィレット部６ｆ，６ｇにかかるように設置しても特に問題はない。
【００３５】
また、筐体６では、フィレット部６ｆ，６ｇを設けた領域に対応する外側の角部にもＲ部６ｈ，６ｉを設けるようにしている。このため、筐体６では、この外側Ｒ部６ｈ，６ｉによっても外部からの衝撃を分散させるようになっている。
【００３６】
次に、このような電子デバイス１を、任意の物体を収容可能なケースに取り付けた場合を例にとってその使用例を説明する。図７に示されるように、本実施形態では、電子デバイス１がスーツケース１００に取り付けられている。スーツケース１００は、ボディ（ケース）１０５、ハンドル１０６、把持部１０７及びキャスター１０８を有している。ボディ１０５は、身側シェル１０２と、身側シェル１０２に対向する蓋側シェル１０３とを有している。身側シェル１０２は、底板部１０２ａと底板部１０２ａの周囲に立設する側板部１０２ｂとを有している。また、蓋側シェル１０３は上板部１０３ａと上板部１０３ａの周囲に立設する側板部１０３ｂとを有している。身側シェル１０２と蓋側シェル１０３とは互いの側板部１０２ｂ，１０３ｂ同士を合わせた状態で、スライドファスナなどの開閉機構によって開閉自在となっている。ボディ１０５の材料は、例えば、ポリカーボネートやＡＢＳのような樹脂である。
【００３７】
ハンドル１０６及び把持部１０７は、例えば身側シェル１０２に取り付けられている。ハンドル１０６は、伸縮自在に構成されており、身側シェル１０２に収納可能となっている。把持部１０７は、身側シェル１０２の側板部１０２ｂに固定されている。ハンドル１０６及び把持部１０７は、側板部１０２ｂにおけるキャスター１０８が取り付けられている側と対向する側に設けられている。図示例におけるスーツケース１００は、キャスター１０８を４つ有しているが、例えば２つであってもよい。
【００３８】
電子デバイス１は、ボディ１０５に取り付けられている。本実施形態では、図８に示されるように、蓋側シェル１０３における側板部１０３ｂに電子デバイス１が取り付けられている。より詳しくは、側板部１０３ｂにおけるキャスター１０８が取り付けられている側と反対側（対向する側）の面に電子デバイス１が取り付けられている。蓋側シェル１０３の側板部１０３ｂには、電子デバイス１の形状に合致した凹状部１０４が形成されている。凹状部１０４は、矩形状の底面部１０４ａと、底面部１０４ａの周囲に設けられる側面部１０４ｂとを有する。例えば、凹状部１０４の高さは、電子デバイス１の筐体６の厚みと同じか、それより大きくてもよい。電子デバイス１は、凹状部１０４に収容された状態で蓋側シェル１０３に固定される。なお、この際、電子デバイス１の保護パネル５は、蓋側シェル１０３の側板部１０３ｂと面一となるか、それよりも内側に位置するように配置される。このような配置により、保護パネル５へ衝撃が付与される可能性を低減する。
【００３９】
以上、本実施形態に係る電子デバイス１及び電子デバイス１が搭載されたスーツケース１００によれば、側板部６ｃと面板部６ｄ，６ｅとの連接領域における筐体６の内壁に所定の曲率半径ｒを有するフィレット部６ｆ，６ｇが設けられている。このため、仮に電子デバイス１の上面若しくは側面等から筐体に対して衝撃が加えられたとしても、このフィレット部６ｆ，６ｇの存在により衝撃を多方向に分散させることができるので（図５参照）、外部からの衝撃をそのまま筐体６内に収納されているディスプレイ２等に伝達させないようにすることができる。その結果、この電子デバイス１によれば、外部からの衝撃を好適に分散させて、筐体６内に配置されるディスプレイ２の破損を低減させることができる。また、フィレット部６ｆ，６ｇにより応力が分散されるので、同等の強度を担保しつつ筐体６の板厚を薄く（例えば２０％以上薄く）することも可能となる。
【００４０】
また、電子デバイス１及びスーツケース１００では、フィレット部６ｆ，６ｇの曲率半径ｒは、電子デバイス１の総厚の１０％以上である。このような曲率半径を有している場合、外部からの衝撃をより多方向に分散させることができるので、筐体６内に配置されているディスプレイ２の破損をより一層低減させることができる。
【００４１】
また、電子デバイス１及びスーツケース１００では、フィレット部６ｆ，６ｇは、筐体６の内壁の全周にわたって設けられている。このため、電子デバイス１が何れの方向から衝撃を受けた場合であっても、筐体６内に配置されているディスプレイ２の破損を低減させることが可能となる。
【００４２】
また、電子デバイス１及びスーツケース１００では、ディスプレイ２は、その縁部が筐体６の内壁に対して１ｍｍ以上離れるように筐体の収納領域６ａに配置されている。このため、電子デバイス１が受けた衝撃を直接ディスプレイ２に伝達しないようにしてその伝達を弱めることができ、これによりディスプレイ２の破損をより一層低減させることが可能となる。
【００４３】
また、電子デバイス１及びスーツケース１００では、筐体６が、側板部６ｃの一端に連接して設けられる上面板部６ｄと、側板部６ｃの他端に連接して設けられる底面板部６ｅとを有している。そして、側板部６ｃと上面板部６ｄとの連接領域における筐体の内壁には、曲率半径ｒを有する第１のフィレット部６ｆが設けられ、側板部６ｃと底面板部６ｅとの連接領域における筐体６の内壁には、曲率半径ｒを有する第２のフィレット部６ｇが設けられている。なお、上述した第１及び第２のフィレット部６ｆ，６ｇは本実施形態では同じ曲率半径を有しているものとして説明したが、両者の曲率半径が異なっていてもよい。このような構成により、何れの方向からの衝撃であってもより均等に分散させることができる。
【００４４】
また、電子デバイス１及びスーツケース１００では、実装基板３は、基板本体と、基板本体に実装される制御部３７と、制御部３７に接続される記憶部３１と、制御部３７に接続される通信用ＩＣ３２，３５と、通信用ＩＣ３２，３５に接続され基板本体上に形成されるアンテナ３３，３６と、を有し、制御部３７と記憶部３１と通信用ＩＣ３２，３５は、フィレット部６ｆ，６ｇが形成される領域よりも平面方向内側となるように基板本体上に配置されていてもよい。この場合、ある程度の高さのある部材を基板本体中央部に集積させることになり、電子デバイスの小型化や薄型化を図りつつ、筐体６内壁のフィレット部の曲率半径ｒを大きく取ることが可能となる。
【００４５】
また、電子デバイス１及びスーツケース１００では、側板部６ｃと上底面板部６ｄ，６ｅとの連接領域における筐体６の外壁に所定の曲率半径を有する外側Ｒ部が設けられていてもよい。この場合、衝撃を直接受ける筐体の外壁部分において、衝撃を分散させることができるため、ディスプレイ２等の破損をより一層低減させることができる。
【００４６】
以上、本発明の実施形態について図面を参照して詳述したが、具体的な構成はこの実施形態に限られるものではない。例えば、電子デバイス１を構成する筐体６の外形形状は上述した例に限定されるものではなく、例えば、図９の電子デバイス１ａに示されるように、筐体６の上面板部６ｄ及び底面板部６ｅから上下それぞれの方向に突出するリブ６ｊ，６ｋを周縁に沿って更に設けるようにしてもよい。この場合、例えば、保護パネル５が電子デバイス１の外表面から内側にずれて配置されることになるため、保護パネル５への外部衝撃自体をこれらリブ６ｊ，６ｋにより低減することができ、これにより、ディスプレイ２の破損をより一層低減することができる。また、電子デバイス１（筐体６）の外形は平面視矩形形状に限定されるものではなく、三角形形状、他の多角形形状、円形形状、又は楕円形状等を適宜採用することが可能である。
【００４７】
また、電子デバイス１の筐体６は上述した例では一体的に形成される例を示したが、上下に分割される構成とし、下側の筐体部分にディスプレイ２、実装基板３及び緩衝材４を収納した後、これらを覆うように上側の筐体部分を下側の筐体部分に嵌め合わせて（若しくは両者をネジ止めして）筐体６とするようにしてもよい。このように筐体６を分割して形成した場合、筐体６内へのディスプレイ２等の収納作業を効率化することができる。
【００４８】
また、電子デバイス１はスーツケース１００のどの部分に取り付けられてもよい。例えば、電子デバイス１は、蓋側シェル１０３における他の面や、上板部１０３ａに設けられてもよい。また、電子デバイス１は、身側シェル１０２に取り付けられてもよく、例えば身側シェル１０２における把持部１０７が設けられている側面に取り付けられてもよい。なお、スーツケース１００においては、一般に、キャスター１０８が設けられている側面が上向きになることが少ない。そのため、キャスター１０８が設けられている側面に対向している側面に電子デバイス１が取り付けられることによって、電子デバイス１が地面に接し難くなる。したがって、ＵＨＦ帯アンテナ３６が地面等から離れた位置になりやすく、視認性が向上されるとともに、ベルトコンベア上における搬送時の通信特性の低下を抑制できる。また、身側シェル１０２及び蓋側シェル１０３はそれぞれ一体成形によって形成されてもよく、分割される構成としてもよい。身側シェル１０２及び蓋側シェル１０３がそれぞれ分割される構成である場合、分割されるパーツ内に電子デバイス１が設けられることによって、製造組立時における電子デバイス１の取付けの手間が低減される。この場合、製品出荷後における電子デバイスの交換が可能となるように、分割されるパーツの設計を行ってもよい。
【００４９】
また、ＨＦ帯の周波数を利用して給電及びデータ通信（データ更新）を行い、ＵＨＦ帯の周波数を利用して記憶データの読み取りを行う例を示したがこれに限定されない。実施形態において記載された周波数帯域は一例であり、任意の周波数帯域であってもよい。例えば、１３．５６ＭＨｚのＨＦ帯の周波数帯域や、それ以外の１次電池、太陽電池や振動素子等の環境発電を用いて、電子デバイスに対して給電し、２．４ＧＨｚのマイクロ波周波数帯域で電子デバイスとデータ通信や画像書換え電力の生成を行うように手荷物運送システムを構成しても良い。一時的に２次電池やキャパシタ等に蓄電し、必要電力の全て又は一部の補助を受けても良い。この場合、手荷物運送システムが、２．４ＧＨｚ帯で、Ｂｌｕｅｔｏｏｔｈ（登録商標）、Ｂｌｕｅｔｏｏｔｈ  ＬＥ（登録商標）、ＡＮＴ（登録商標）通信、又は、無線ＬＡＮ（Ｗｉ−Ｆｉを含む）による通信を用いて、電子デバイス１とデータ通信を行ってもよいし、ＨＦ帯、ＵＨＦ帯アンテナに加えて同時に通信方式が存在してもよい。
【００５０】
また、スーツケース１００がポリカーボネート、ＡＢＳ等の樹脂によって形成されている例を示したが、これに限定されない。例えば、スーツケースはアルミニウムやジュラルミンなどの金属によって形成されていてもよい。一般に、無線による通信が行われる場合には、アンテナが金属に接触していると通信特性が低下してしまう。しかしながら、図９に示す実施形態等のようにアンテナとスーツケースとの間に空隙が形成されていることによって、アンテナが金属に接触することがなく、通信特性の低下を抑制することができる。
【００５１】
また、電子デバイス１における筐体６を形成する材料は、例えば合成樹脂であり特に限定されない。筐体６は１種類の材料によって形成されているのみではなく、２種類以上の材料によって形成されていてもよい。例えば、筐体６における縁部のみをヤング率の低い弾性体によって形成してもよい。加えて成形時を考慮して、天井部と底面部を筐体厚み方向に２分割したものを組み合わせても良い。また、筐体６の表面がヤング率の低い弾性体によって被覆される構造であってもよい。さらに、自動車等に広く採用されるクラッシャブル構造にてディスプレイ２や制御部３７等の機能を満足させるための重要部材保護を優先し、筐体やケースの代替破壊を促す構造を採用してもよい。加えて、筐体６自身の機能をスーツケース１００側に持たせ、筐体を省いた形で、アンテナ形成された基板を直接スーツケース１００へ固定してもよい。
【００５２】
また、ＵＨＦ帯ＩＣ３５は２つ以上の外部インターフェースを有しており、一方がＵＨＦ帯アンテナ３６と電気接続、他方が制御部３７と接続していても良い。さらには、制御部３７を介して各種構成デバイスと接続しても良い。また、ディスプレイとＵＨＦ帯アンテナとは平行して設置されていなくても良く、アンテナの受信部はディスプレイ近傍と平行な面でなくても良い。
【００５３】
また、上記の例では、例えば、収容体としてスーツケース１００を例示したがこれに限定されない。例えば、収容体の種類は、物流向けの輸送箱（折畳コンテナ）、工場等の工程管理に用いられるケース、鉄道輸送や宅配等に用いられる各種サイズのコンテナ、社内便や機密文書処理等に用いられるリユースを前提とした往復書簡用ケースなど、多岐に亘るものを用いることができる。
【符号の説明】
【００５４】
１，１ａ…電子デバイス、２…ディスプレイ、３…実装基板、６…筐体、６ａ…収納領域、６ｃ…側板部、６ｄ…上面板部（面板部）、６ｅ…底面板部（面板部）、６ｆ，６ｇ…フィレット部（Ｒ部）、６ｈ，６ｉ…外側Ｒ部、３１…記憶部、３２…ＨＦ帯ＩＣ（通信用ＩＣ）、３３…ＨＦ帯アンテナ、３５…ＵＨＦ帯ＩＣ（通信用ＩＣ）、３６…ＵＨＦ帯アンテナ、３７…制御部、１００…スーツケース、ｄ…離間距離、ｒ…曲率半径。
【図１】
2017072939.tif 000003
【図２】
2017072939.tif 000004
【図３】
2017072939.tif 000005
【図４】
2017072939.tif 000006
【図５】
2017072939.tif 000007
【図７】
2017072939.tif 000008
【図８】
2017072939.tif 000009
【図９】
2017072939.tif 000010
【図６】
2017072939.tif 000011